(57)【要約】【課題】接顔パッドの跡が局部的に強く残らず、装着時の不快感をもたらすということもなく、飛び込み時などの強い水圧がかかる場合にも、水漏れが生じることのないスイミングゴーグルを提供する。【解決手段】ゴーグル本体１に装着される接顔パッド１１の上方装着面に接触する上底面１ａと、この接顔パッド１１の下方装着面に接触する下底面１ｂとを非対称形状にし、ゴーグル本体１のレンズ前面ｆ1 およびこのレンズ前面ｆ1 の延長面ｆ2 から上底面１ａまでの間隔よりも、ゴーグル本体１のレンズ前面ｆ1 およびこのレンズ前面ｆ1 の延長面ｆ2 から下底面１ｂまでの間隔を長くしている。【選択図】    図４
2011083539.tif 000002
【特許請求の範囲】
【請求項１】
ゴーグル本体（１）に装着される接顔パッド（１１）の上方装着面に接触する上底面（１ａ）と、この接顔パッド（１１）の下方装着面に接触する下底面（１ｂ）とを非対称形状にし、ゴーグル本体（１）のレンズ前面（ｆ1 ）およびこのレンズ前面（ｆ1 ）の延長面（ｆ2 ）から上底面（１ａ）までの間隔よりも、ゴーグル本体（１）のレンズ前面（ｆ1 ）およびこのレンズ前面（ｆ1 ）の延長面（ｆ2 ）から下底面（１ｂ）までの間隔を長くしたことを特徴とするスイミングゴーグル。
【請求項２】
ゴーグル本体（１）に装着される接顔パッド（１１）の着用者の眼部周囲の上方位置に接触する上底面（１１ａ）と、着用者の眼部周囲の下方位置に接触する下底面（１１ｂ）とを非対称形状にし、ゴーグル本体（１）のレンズ前面（ｆ1 ）およびこのレンズ前面（ｆ1 ）の延長面（ｆ2 ）から上底面（１１ａ）までの間隔よりも、ゴーグル本体（１）のレンズ前面（ｆ1 ）およびこのレンズ前面（ｆ1 ）の延長面（ｆ2 ）から下底面（１１ｂ）までの間隔を長くしたことを特徴とするスイミングゴーグル。
【請求項３】
ゴーグル本体（１）のレンズ前面（ｆ1 ）およびこのレンズ前面（ｆ1 ）の延長面（ｆ2 ）に連続して設けた各測定位置（Ｍａ〜Ｍｔ）におけるゴーグル本体（１）のレンズ前面（ｆ1 ）およびこのレンズ前面（ｆ1 ）の延長面（ｆ2 ）からゴーグル本体（１）の上底面（１ａ）までの間隔と、ゴーグル本体（１）のレンズ前面（ｆ1 ）およびこのレンズ前面（ｆ1 ）の延長面（ｆ2 ）からゴーグル本体（１）の下底面（１ｂ）までの間隔との差（Ｓ1 ）〜差（Ｓ20）の平均値を３. ００〜３. ５０ｍｍにしたことを特徴とする請求項１記載のスイミングゴーグル。
【請求項４】
ゴーグル本体（１）のレンズ前面（ｆ1 ）およびこのレンズ前面（ｆ1 ）の延長面ｆ2 に連続して設けた各測定位置（Ｍａ〜Ｍｔ）におけるゴーグル本体（１）のレンズ前面（ｆ1 ）およびこのレンズ前面（ｆ1 ）の延長面（ｆ2 ）から接顔パッド（１１）の上底面（１１ａ）までの間隔と、ゴーグル本体（１）のレンズ前面（ｆ1 ）およびこのレンズ前面（ｆ1 ）の延長面（ｆ2 ）から接顔パッド（１１）の下底面（１１ｂ）までの間隔との差（Ｓ21）〜差（Ｓ40）の平均値を３. ００〜３. ５０ｍｍにしたことを特徴とする請求項２記載のスイミングゴーグル。
【請求項５】
前記差（Ｓ1 ）〜差（Ｓ6 ）にかけては、その値を徐々に大きくし、前記差（Ｓ7 ）または差（Ｓ8 ）を最大値とし、前記差（Ｓ9 ）〜差（Ｓ20）にかけては、その値を徐々に小さくしたことを特徴とする請求項３記載のスイミングゴーグル。
【請求項６】
前記差（Ｓ1 ）〜差（Ｓ6 ）の平均値を２. ４０〜２. ８０ｍｍにし、前記差（Ｓ7 ）または差（Ｓ8 ）を４. ６０〜５. ００ｍｍにし、前記差（Ｓ9 ）〜差（Ｓ20）の平均値を３. １０〜３. ５０ｍｍにしたことを特徴とする請求項３または５記載のスイミングゴーグル。
【請求項７】
前記差（Ｓ21）〜差（Ｓ26）にかけては、その値を徐々に大きくし、前記差（Ｓ27）または差（Ｓ28）を最大値とし、前記差（Ｓ29）〜差（Ｓ40）にかけては、その値を徐々に小さくしたことを特徴とする請求項４記載のスイミングゴーグル。
【請求項８】
前記差（Ｓ21）〜差（Ｓ26）の平均値を２. ４０〜２. ８０ｍｍにし、前記差（Ｓ27）または差（Ｓ28）を４. ６０〜５. ００ｍｍにし、前記差（Ｓ29）〜差（Ｓ40）の平均値を３. １０〜３. ５０ｍｍにしたことを特徴とする請求項４または７記載のスイミングゴーグル。
【発明の詳細な説明】
【技術分野】
【０００１】
この発明は、アイカップ等としたゴーグル本体、およびこのゴーグル本体に装着される環状の接顔パッドを備えたスイミングゴーグルに関するものである。
【背景技術】
【０００２】
従来、この種のスイミングゴーグルとしては、例えば図１０〜１３に示したような、特許文献１や特許文献２に記載されたものが存在する。
【０００３】
これら特許文献１や特許文献２に記載されたスイミングゴーグルのアイカップＣは、図１０、１１に示したように、このアイカップＣに装着される接顔パッドＰの上方装着面に接触する上底面２１ａと、この接顔パッドＰの下方装着面に接触する下底面２１ｂとを、対称形状にしたものとしており、アイカップＣのレンズ前面ｆから上底面２１ａまでの間隔と、アイカップＣのレンズ前面ｆから下底面２１ｂまでの間隔を同一にしている。
【０００４】
そして、前記アイカップＣに装着される接顔パッドＰは、図１２、１３に示したように、着用者の眼部周囲の上方位置に接触する上底面３１ａと、着用者の眼部周囲の下方位置に接触する下底面３１ｂとを、対称形状にしたものとしており、アイカップＣのレンズ前面ｆから上底面３１ａまでの間隔と、アイカップＣのレンズ前面ｆから下底面３１ｂまでの間隔を同一にしている。
【先行技術文献】
【特許文献】
【０００５】
【特許文献１】実開平６−４８７１５号公報
【特許文献２】特開２００７−１４３７６２号公報
【発明の概要】
【発明が解決しようとする課題】
【０００６】
ところで、従来のスイミングゴーグルにおいて、前記接顔パッドＰの上底面３１ａは、着用者の眼部周囲の上方位置、すなわち眉毛と上瞼の間に接触し、接顔パッドＰの下底面３１ｂは、着用者の眼部周囲の下方位置、すなわち下瞼の少し下に接触するが、眉毛と上瞼の間の個所と下瞼の少し下の個所では、眉毛と上瞼の間の個所の方が前方に突き出ており、この個所の方が接触感も硬く、押さえてもへこみ難い。
【０００７】
そのため、従来のスイミングゴーグルを着用すると、眉毛と上瞼の間の個所と下瞼の少しの下個所では、眉毛と上瞼の間の個所の方が接地圧力が大きくなり、この眉毛と上瞼の間の個所が接顔パッドＰの上底面３１ａに強く押圧されて、この個所に接顔パッドＰの跡が局部的に強く残ったり、装着時の不快感をもたらすという課題を有していた。
【０００８】
さらに、従来のスイミングゴーグルでは、前記したように眉毛と上瞼の間の個所が接顔パッドＰの上底面３１ａに強く押圧されるため、下瞼の少し下の個所ではその分、接顔パッドＰの下底面３１ｂによって押圧される力が弱くなるので、飛び込み時などの強い水圧がかかる場合には、その個所から水漏れが生じることがあるという課題を有していた。
【０００９】
そこで、この発明は、上記従来の問題点を解決することをその課題としており、接顔パッドの跡が局部的に強く残らず、装着時の不快感をもたらすということもなく、飛び込み時などの強い水圧がかかる場合にも、水漏れが生じることのないスイミングゴーグルを提供することを目的としてなされたものである。
【課題を解決するための手段】
【００１０】
そのため、この発明のスイミングゴーグルは、ゴーグル本体１に装着される接顔パッド１１の上方装着面に接触する上底面１ａと、この接顔パッド１１の下方装着面に接触する下底面１ｂとを非対称形状にし、ゴーグル本体１のレンズ前面ｆ1 およびこのレンズ前面ｆ1 の延長面ｆ2 から上底面１ａまでの間隔よりも、ゴーグル本体１のレンズ前面ｆ1 およびこのレンズ前面ｆ1 の延長面ｆ2 から下底面１ｂまでの間隔を長くしている。
【００１１】
また、この発明のスイミングゴーグルは、ゴーグル本体１に装着される接顔パッド１１の着用者の眼部周囲の上方位置に接触する上底面１１ａと、着用者の眼部周囲の下方位置に接触する下底面１１ｂとを非対称形状にし、ゴーグル本体１のレンズ前面ｆ1 およびこのレンズ前面ｆ1 の延長面ｆ2 から上底面１１ａまでの間隔よりも、ゴーグル本体１のレンズ前面ｆ1 およびこのレンズ前面ｆ1 の延長面ｆ2 から下底面１１ｂまでの間隔を長くしている。
【００１２】
そして、この発明のスイミングゴーグルは、ゴーグル本体１のレンズ前面ｆ1 およびこのレンズ前面ｆ1 の延長面ｆ2 に連続して設けた各測定位置Ｍａ〜Ｍｔにおけるゴーグル本体１のレンズ前面ｆ1 およびこのレンズ前面ｆ1 の延長面ｆ2 からゴーグル本体１の上底面１ａまでの間隔と、ゴーグル本体１のレンズ前面ｆ1 およびこのレンズ前面ｆ1 の延長面ｆ2 からゴーグル本体１の下底面１ｂまでの間隔との差Ｓ1 〜差Ｓ20の平均値を３. ００〜３. ５０ｍｍにしている。
【００１３】
さらに、この発明のスイミングゴーグルは、ゴーグル本体１のレンズ前面ｆ1 およびこのレンズ前面ｆ1 の延長面ｆ2 に連続して設けた各測定位置Ｍａ〜Ｍｔにおけるゴーグル本体１のレンズ前面ｆ1 およびこのレンズ前面ｆ1 の延長面ｆ2 から接顔パッド１１の上底面１１ａまでの間隔と、ゴーグル本体１のレンズ前面ｆ1 およびこのレンズ前面ｆ1 の延長面ｆ2 から接顔パッド１１の下底面１１ｂまでの間隔との差Ｓ21〜差Ｓ40の平均値を３. ００〜３. ５０ｍｍにしている。
【００１４】
また、この発明のスイミングゴーグルは、前記差Ｓ1 〜差Ｓ6 にかけて、その値を徐々に大きくし、前記差Ｓ7 または差Ｓ8 を最大値とし、前記差Ｓ9 〜差Ｓ20にかけて、その値を徐々に小さくしている。
【００１５】
さらに、この発明のスイミングゴーグルは、前記差Ｓ1 〜差Ｓ6 の平均値を２. ４０〜２. ８０ｍｍにし、前記差Ｓ7 または差Ｓ8 を４. ６０〜５. ００ｍｍにし、前記差Ｓ9 〜差Ｓ20の平均値を３. １０〜３. ５０ｍｍにしている。
【００１６】
また、この発明のスイミングゴーグルは、前記差Ｓ21〜差Ｓ26にかけて、その値を徐々に大きくし、前記差Ｓ27または差Ｓ28を最大値とし、前記差Ｓ29〜差Ｓ40にかけて、その値を徐々に小さくしている。
【００１７】
さらに、この発明のスイミングゴーグルは、前記差Ｓ21〜差Ｓ26の平均値を２. ４０〜２. ８０ｍｍにし、前記差Ｓ27または差Ｓ28を４. ６０〜５. ００ｍｍにし、前記差Ｓ29〜差Ｓ40の平均値を３. １０〜３. ５０ｍｍにしている。
【発明の効果】
【００１８】
この発明のスイミングゴーグルは、以上に述べたように構成されているので、接顔パッドの跡が局部的に強く残らず、装着時の不快感をもたらすということもなく、飛び込み時などの強い水圧がかかる場合にも、水漏れが生じることのないものとなった。
【図面の簡単な説明】
【００１９】
【図１】この発明のスイミングゴーグルを前方から見た状態の斜視図である。
【図２】この発明のスイミングゴーグルを後方から見た状態の斜視図である。
【図３】この発明のスイミングゴーグルの接顔パッドを装着していない状態のゴーグル本体の側面図である。
【図４】この発明のスイミングゴーグルの接顔パッドを装着していない状態のゴーグル本体の平面図である。
【図５】この発明のスイミングゴーグルのゴーグル本体の上底面と下底面との間隔を示す説明図である。
【図６】この発明のスイミングゴーグルの接顔パッドを装着した状態のゴーグル本体の側面図である。
【図７】この発明のスイミングゴーグルの接顔パッドを装着した状態のゴーグル本体の平面図である。
【図８】この発明のスイミングゴーグルの接顔パッドの上底面と下底面との間隔を示す説明図である。
【図９】この発明のスイミングゴーグルの接顔パッドの着用者の眼部周囲への接地圧力の分布を示す説明図である。
【図１０】従来のスイミングゴーグルの接顔パッドを装着していない状態のアイカップの側面図である。
【図１１】従来のスイミングゴーグルの接顔パッドを装着していない状態のアイカップの平面図である。
【図１２】従来のスイミングゴーグルの接顔パッドを装着した状態のアイカップの側面図である。
【図１３】従来のスイミングゴーグルの接顔パッドを装着した状態のアイカップの平面図である。
【図１４】従来のスイミングゴーグルの接顔パッドの着用者の眼部周囲への接地圧力の分布を示す説明図である。
【発明を実施するための形態】
【００２０】
以下、この発明のスイミングゴーグルを実施するための形態を、図面に基づいて詳細に説明する。
【００２１】
この発明のスイミングゴーグルは、透明または半透明のポリカーボネート等の硬質合成樹脂からなる左右一対のアイカップ等としたゴーグル本体１を備えている。このゴーグル本体１は、レンズ前面ｆ1 と、レンズ前面ｆ1 の周縁より後退する周壁部ｗを有し、この周壁部ｗの後端側に、内方側に向けて周溝２を設け、この周溝２の後面を形成するようにして取付フランジ３が設けられている。
【００２２】
前記各ゴーグル本体１の内端部には、ブラケット４が周壁部ｗから突出するようにして設けられている。さらに、各ゴーグル本体１の外端部には、周壁部ｗから外方向に突出すようにしてベルト取付部５が設けられている。
【００２３】
前記ブラケット４には、可撓性を有する連結体６が係合されることにより、一対のゴーグル本体１が連結されている。さらに、前記ベルト取付部５には、伸縮自在の締付バンド７の両端部がそれぞれ長さ調節可能に連結されている。
【００２４】
前記各ゴーグル本体１の取付フランジ３には、弾性エラストマー等の軟質合成樹脂からなる接顔パッド１１を装着している。この接顔パッド１１は、前記取付フランジ３に外嵌される環状の枠体１２と、この枠体１２の内側縁よりクッション周壁１３を介して接顔部１４を一体に成形している。そして、この接顔部１４の底面は、着用者の眼部周囲に沿って接触するように形成している。なお、前記接顔パッド１１は、枠体１２を前記取付フランジ３に外嵌することにより、ゴーグル本体１に装着するものとしても、枠体１２を前記取付フランジ３に接着するなどして、ゴーグル本体１に装着するものとしてもよい。
【００２５】
前記接顔パッド１１は、ゴーグル本体１に装着する前に、接顔部１４の底面が着用者の眼部周囲に沿って接触するように、クッション周壁１３が枠体１２の内側縁から末広がりの薄肉に成形されており、外方寄りになるにしたがって薄肉の末広がりになった部分が広くなるように形成している。
【００２６】
さらに、この発明のスイミングゴーグルは、図３、４に示したように、ゴーグル本体１に装着される接顔パッド１１の上方装着面に接触する上底面１ａと、この接顔パッド１１の下方装着面に接触する下底面１ｂとを非対称形状にしている。そして、このゴーグル本体１のレンズ前面ｆ1 およびこのレンズ前面ｆ1 の延長面ｆ2 から上底面１ａまでの間隔よりも、ゴーグル本体１のレンズ前面ｆ1 およびこのレンズ前面ｆ1 の延長面ｆ2 から下底面１ｂまでの間隔を全体的に長くしている。
【００２７】
また、この発明のスイミングゴーグルは、図６、７に示したように、ゴーグル本体１に装着される接顔パッド１１の着用者の眼部周囲の上方位置に接触する上底面１１ａと、着用者の眼部周囲の下方位置に接触する下底面１１ｂとを非対称形状にしている。そして、ゴーグル本体１のレンズ前面ｆ1 およびこのレンズ前面ｆ1 の延長面ｆ2 から上底面１１ａまでの間隔よりも、ゴーグル本体１のレンズ前面ｆ1 およびこのレンズ前面ｆ1 の延長面ｆ2 から下底面１１ｂまでの間隔を全体的に長くしている。
【００２８】
そして、この発明のスイミングゴーグルは、図５に示したように、ゴーグル本体１のレンズ前面ｆ1 およびこのレンズ前面ｆ1 の延長面ｆ2 において、着用者の目頭から目尻にかけた方向に等間隔に連続して設けた各測定位置Ｍａ〜Ｍｔにおけるゴーグル本体１のレンズ前面ｆ1 およびこのレンズ前面ｆ1 の延長面ｆ2 からゴーグル本体１の上底面１ａまでの間隔と、ゴーグル本体１のレンズ前面ｆ1 およびこのレンズ前面ｆ1 の延長面ｆ2 からゴーグル本体１の下底面１ｂまでの間隔との差Ｓ1 〜差Ｓ20を０. ３０〜５. ００ｍｍにし、それらの平均値を３. ００〜３. ５０ｍｍにしており、好ましくは３. ２５ｍｍにしている。
【００２９】
さらに、この発明のスイミングゴーグルは、図８に示したように、ゴーグル本体１のレンズ前面ｆ1 およびこのレンズ前面ｆ1 の延長面ｆ2 において、着用者の目頭から目尻にかけた方向に等間隔に連続して設けた各測定位置Ｍａ〜Ｍｔにおけるゴーグル本体１のレンズ前面ｆ1 およびこのレンズ前面ｆ1 の延長面ｆ2 から接顔パッド１１の上底面１１ａまでの間隔と、ゴーグル本体１のレンズ前面ｆ1 およびこのレンズ前面ｆ1 の延長面ｆ2 から接顔パッド１１の下底面１１ｂまでの間隔との差Ｓ21〜差Ｓ40を０. ３０〜５. ００ｍｍにし、それらの平均値を３. ００〜３. ５０ｍｍにしており、好ましくは３. ２５ｍｍにしている。
【００３０】
前記差Ｓ1 〜差Ｓ6 にかけては、その値を徐々に大きくし、前記差Ｓ7 または差Ｓ8 を最大値とし、前記差Ｓ9 〜差Ｓ20にかけては、その値を徐々に小さくしている。そして、前記差Ｓ1 〜差Ｓ6 の平均値は、２. ４０〜２. ８０ｍｍにしており、好ましくは２. ６２ｍｍにしている。前記差Ｓ7 または差Ｓ8 は、４. ６０〜５. ００ｍｍにしており、好ましくは４. ８２ｍｍにしている。前記差Ｓ9 〜差Ｓ20の平均値は、３. １０〜３. ５０ｍｍにしており、好ましくは３. ３１ｍｍにしている。
【００３１】
前記差Ｓ21〜差Ｓ26にかけては、その値を徐々に大きくし、前記差Ｓ27または差Ｓ28を最大値とし、前記差Ｓ29〜差Ｓ40にかけては、その値を徐々に小さくしている。そして、前記差Ｓ21〜差Ｓ26の平均値は、２. ４０〜２. ８０ｍｍにしており、好ましくは２. ６２ｍｍにしている。前記差Ｓ27または差Ｓ28は、４. ６０〜５. ００ｍｍにしており、好ましくは４. ８２ｍｍにしている。前記差Ｓ29〜差Ｓ40の平均値は、３. １０〜３. ５０ｍｍにしており、好ましくは３. ３１ｍｍにしている。
【００３２】
この発明のスイミングゴーグルにおいて、前記差Ｓ1 〜差Ｓ20の具体的な数値としては、例えば、前記差Ｓ1 を０. ３０ｍｍ、差Ｓ2 を１. １２ｍｍ、差Ｓ3 を２. ２６ｍｍ、差Ｓ4 を３. ２９ｍｍ、差Ｓ5 を４. １０ｍｍ、差Ｓ6 を４. ６４ｍｍ、差Ｓ7 を４. ８４ｍｍ、差Ｓ8 を４. ８０ｍｍ、差Ｓ9 を４. ６５ｍｍ、差Ｓ10を４. ４４ｍｍ、差Ｓ11を４. ２０ｍｍ、差Ｓ12を３. ９７ｍｍ、差Ｓ13を３. ７５ｍｍ、差Ｓ14を３. ５３ｍｍ、差Ｓ15を３. ３１ｍｍ、差Ｓ16を３. ０９ｍｍ、差Ｓ17を２. ８５ｍｍ、差Ｓ18を２. ５６ｍｍ、差Ｓ19を２. ０９ｍｍ、差Ｓ20を１. ２９ｍｍとしている。この数値は、社団法人人間生活工学研究センターによる、日本人の２０代男性の眉毛と上瞼の間の個所と下瞼の少し下の個所の起伏形状の測定データに基づいて設定したものである。
【００３３】
さらに、前記差Ｓ21〜差Ｓ40の具体的な数値としては、ここでは提示しないが、前記差Ｓ1 〜差Ｓ20に対応する値にすることができる。
【００３４】
すなわち、この発明のスイミングゴーグルは、前記差Ｓ1 〜差Ｓ20および差Ｓ21〜差Ｓ40を以上に述べたような数値に設定することにより、接顔パッドの跡が局部的に強く残らず、装着時の不快感をもたらすということもなく、飛び込み時などの強い水圧がかかる場合にも、水漏れが生じることのないものになるという所望の効果を奏するものとなる。
【００３５】
なお、図９は、この発明のスイミングゴーグルの接顔パッドの着用者の眼部周囲への接地圧力の分布を示す説明図であり、図１４は、図１２、１３に示した従来のスイミングゴーグルの接顔パッドの着用者の眼部周囲への接地圧力の分布を示す説明図であり、社団法人人間生活工学研究センターによる測定データに基づくものである。
【００３６】
図中の輪郭Ｌは、接顔パッドと着用者の眼部周囲との接地面を示しており、輪郭Ｌ内の３〜５段階にわたって表した濃淡は接地圧力の分布を示しており、濃い部分ほど接地圧力が大きいことを表している。
【００３７】
図９によると、この発明のスイミングゴーグルでは、眉毛と上瞼の間の全体、および下瞼の少し下の全体が、接顔パッドによってバランスよく押圧されているため、接顔パッドの跡が局部的に強く残らず、装着時の不快感をもたらすということもない。
【００３８】
これに対し、従来のスイミングゴーグルでは、図１４に示されたように、眉毛と上瞼の間、特に眉毛と上瞼の間で眉間寄りの部分、および下瞼の少し下で鼻寄りの部分が、接顔パッドによって強く押圧されているため、これらの部分に局部的に接顔パッドの跡が強く残ることになり、装着時の不快感をもたらすということにもなる。
【００３９】
さらに、図９によると、この発明のスイミングゴーグルでは、眉毛と上瞼の間および下瞼の少し下が、接顔パッドによって全体的に強く押圧されているため、飛び込み時などの強い水圧がかかる場合にも、水漏れが生じることのないものとなる。
【００４０】
これに対し、従来のスイミングゴーグルでは、図１４に示されたように、眉毛と上瞼の間で眉間寄りの部分、および下瞼の少し下で鼻寄りの部分は、接顔パッドによって強く押圧されているが、他の部分ではその分、接顔パッドによって押圧される力が弱くなっているので、飛び込み時などの強い水圧がかかる場合には、その個所から水漏れが生じることにもなる。
【符号の説明】
【００４１】
１  ゴーグル本体
１ａ  上底面
１ｂ  下底面
１１  接顔パッド
１１ａ  上底面
１１ｂ  下底面
ｆ1   レンズ前面
ｆ2   延長面
Ｍａ〜Ｍｔ  測定位置
Ｓ1 〜Ｓ40  差
【図１】
2011083539.tif 000003
【図２】
2011083539.tif 000004
【図３】
2011083539.tif 000005
【図４】
2011083539.tif 000006
【図５】
2011083539.tif 000007
【図６】
2011083539.tif 000008
【図７】
2011083539.tif 000009
【図８】
2011083539.tif 000010
【図１０】
2011083539.tif 000011
【図１１】
2011083539.tif 000012
【図１２】
2011083539.tif 000013
【図１３】
2011083539.tif 000014
【図９】
2011083539.tif 000015
【図１４】
2011083539.tif 000016